(57)【特許請求の範囲】
【請求項１】
両側部を噛み合わせあるいは突き合わせることにより筒状となり一端部に一方のフランジを取付けることができる根元部に係止溝を有する複数個の一方のフランジ係止片が形成され、他端部に仕切フランジおよびこの仕切フランジと所定間隔離間させて他方のフランジを取付けることができる先端部寄りの部位に係止溝を有する複数個の他方のフランジ係止片が形成されたダンボール等の紙製の巻胴と、中央部に貫通孔が形成され、ほぼ中間部位に前記巻胴の複数個の他方のフランジ係止片がそれぞれ挿入される他方のフランジ係止片挿入孔が形成された外周部に切欠部を有するダンボール等の紙製の仕切フランジと、中央部に貫通孔が形成され、ほぼ中間部位に前記巻胴の複数個の一方のフランジ係止片がそれぞれ挿入され、根元部の係止溝内に一部を挿入でき、あるいは複数個の他方のフランジ係止片がそれぞれ挿入され、先端部寄りの部位の係止溝内に一部が挿入できるフランジ係止片挿入孔が形成されたダンボール等の紙製の一方および他方のフランジと、この一方および他方のフランジのいずれか一方のフランジのフランジ係止片挿入孔の隙間部位にそれぞれ差し込むことができる係止片が形成されたダンボール等の紙製の係止具とからなることを特徴とする光ケーブル等の巻取りドラム。
【請求項２】
両側部を噛み合わせあるいは突き合わせることにより筒状となり一端部に一方のフランジを取付けることができる、根元部に係止溝を有する複数個の一方のフランジ係止片が形成され、他端部に仕切フランジおよびこの仕切フランジと所定間隔離間させて他方のフランジを取付けることができる、先端部寄りの部位に係止溝を有する前記一方のフランジ係止片とほぼ同じ幅寸法や間隔の複数個の他方のフランジ係止片が形成されたダンボール等の紙製の巻胴と、中央部に貫通孔が形成され、ほぼ中間部位に前記巻胴の複数個の他方のフランジ係止片がそれぞれ挿入される他方のフランジ係止片挿入孔が形成された外周部に切欠部を有するダンボール等の紙製の仕切フランジと、中央部に貫通孔が形成され、ほぼ中間部位に前記巻胴の複数個の一方のフランジ係止片がそれぞれ挿入され、根元部の係止溝内に一部を挿入でき、あるいは複数個の他方のフランジ係止片がそれぞれ挿入され、先端部寄りの部位の係止溝内に一部が挿入できるフランジ係止片挿入孔が形成されたダンボール等の紙製の一方および他方のフランジと、この他方のフランジと前記仕切フランジとの間の、前記複数個の他方のフランジ係止片の外周部を覆うリング状のダンボール等の紙製の端部巻胴と、前記一方のフランジの一方のフランジ係止片挿入孔の隙間部位、前記他方のフランジ係止片挿入孔の隙間部位にそれぞれ差し込むことができる係止片が形成されたダンボール等の紙製の一対の係止具とからなることを特徴とする光ケーブル等の巻取りドラム。
【請求項３】
係止具はフランジ係止片挿入孔の隙間部位に挿入される係止片と、この係止片の隙間部位からの抜脱を防止するフランジに接着固定することができる接着テープとで構成したことを特徴とする請求項１、２記載の光ケーブル等の巻取りドラム。
【発明の詳細な説明】
【０００１】
【発明の属する技術分野】
本発明は端末加工を行なった光ケーブル等を巻き取るダンボール等の紙製の光ケーブル等の巻取りドラムに関する。
【０００２】
【従来の技術】
従来のダンボール等の紙製の巻取りドラムは、巻胴と一対のフランジとの固定を環状体とホチキスや接着テープを用いて固定している。
【０００３】
【発明が解決しようとする課題】
従来のダンボール等の紙製の巻取りドラムは、ホチキスや接着テープを用いて巻胴と一対のフランジとを固定しているため、その固定強度がホチキスの綴じ力や接着テープの接着力だけを用いているため弱く、損傷しやすいという欠点があった。
【０００４】
本発明は以上のような従来の欠点に鑑み、ダンボール等の紙製の部品で巻胴と両方のフランジとを強固に固定して、使用中に損傷したりするのを確実に防止することができるとともに、分解、組立てが容易で、廃棄も全体が紙製であるため容易に行なうことができる光ケーブル等の巻取りドラムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は両側部を噛み合わせあるいは突き合わせることにより筒状となり一端部に一方のフランジを取付けることができる根元部に係止溝を有する複数個の一方のフランジ係止片が形成され、他端部に仕切フランジおよびこの仕切フランジと所定間隔離間させて他方のフランジを取付けることができる先端部寄りの部位に係止溝を有する複数個の他方のフランジ係止片が形成されたダンボール等の紙製の巻胴と、中央部に貫通孔が形成され、ほぼ中間部位に前記巻胴の複数個の他方のフランジ係止片がそれぞれ挿入される他方のフランジ係止片挿入孔が形成された外周部に切欠部を有するダンボール等の紙製の仕切フランジと、中央部に貫通孔が形成され、ほぼ中間部位に前記巻胴の複数個の一方のフランジ係止片がそれぞれ挿入され、根元部の係止溝内に一部を挿入でき、あるいは複数個の他方のフランジ係止片がそれぞれ挿入され、先端部寄りの部位の係止溝内に一部が挿入できるフランジ係止片挿入孔が形成されたダンボール等の紙製の一方および他方のフランジと、この一方および他方のフランジのいずれか一方のフランジのフランジ係止片挿入孔の隙間部位にそれぞれ差し込むことができる係止片が形成されたダンボール等の紙製の係止具とで光ケーブル等の巻取りドラムを構成している。
【０００７】
【発明の実施の形態】
以下、図面に示す実施の形態により、本発明を詳細に説明する。
【０００８】
図１ないし図１０に示す本発明の第１の実施の形態において、１は端末加工を行なった光ケーブル２等を巻き取る本発明のダンボール等の紙製の光ケーブル等の巻取りドラムで、この光ケーブル等の巻取りドラム１はダンボール等の紙製の巻胴３と、この巻胴３の両端部に取付けられるダンボール等の紙製の一方、他方のフランジ４、５と、この他方のフランジ５との間に所定間隔離間されて前記巻胴３に取付けられたダンボール等の紙製の仕切フランジ６と、この仕切フランジ６と前記他方のフランジ５との間に取付けられるダンボール等の紙製の端部巻胴７と、前記巻胴３と前記一方、他方のフランジ４、５とを抜け脱不能に係止するダンボール等の紙製の一対の係止具８、８とで構成されている。
【０００９】
前記巻胴３は図６および図７に示すように両側部に噛み合わせ用の凹凸部９、１０が形成された巻胴本体１１と、この巻胴本体１１の一端に一体形成された前記一方のフランジ４を取付けることができる、根元部に係止溝１２を有する複数個、本発明の実施の形態では４個の一方のフランジ係止片１３、１３、１３、１３と、前記巻胴本体１１の他端で前記一方のフランジ係止片１３、１３、１３、１３と対応する部位に一体形成された前記仕切フランジ６およびこの仕切フランジ６と所定間隔離間させて前記他方のフランジ５を取付けることができる、根元部および先端部寄りの部位に係止溝１４、１５を有する４個の他方のフランジ係止片１６、１６、１６、１６と、必要に応じて噛み合わせ部を接着固定する紙接着テープ１７とで構成されている。
【００１０】
前記一方、他方のフランジ４、５は同一形状に形成されたものが使用され、図８に示すように中央部に貫通孔１８が形成された円板状のフランジ本体１９と、このフランジ本体１９のほぼ中間部位に、前記巻胴３の一方のフランジ係止片１３、１３、１３、１３あるいは他方のフランジ係止片１６、１６、１６、１６がそれぞれ挿入されるフランジ係止片挿入孔２０、２０、２０、２０とで構成されている。
【００１１】
前記仕切フランジ６は図９に示すように、中央部に貫通孔２１が形成された円板状の仕切フランジ本体２２と、この仕切フランジ本体２２のほぼ中間部位に前記巻胴３の他方のフランジ係止片１６、１６、１６、１６がそれぞれ挿入されるフランジ係止片挿入孔２３、２３、２３、２３と、前記仕切フランジ本体２２の外周部に前記フランジ係止片挿入孔２３、２３、２３、２３の１個と連通するように形成された切欠部２４とで構成されている。
【００１２】
前記端末巻胴７は前記巻胴３の他方のフランジ係止片１６、１６、１６、１６の外周部を覆う筒形状に形成されたものを使用している。
なお、この端末巻胴７は環状のダンボール等の紙材をリング状にして、端部を紙接着テープ等で固定したものを使用してもよい。
【００１３】
前記一対の係止具８、８は図１０に示すように、前記巻胴３の一方のフランジ係止片１３、１３、１３、１３あるいは他方のフランジ係止片１６、１６、１６、１６の内側面あるいは外側面に沿わすことができるダンボール等の紙材で帯状に形成された係止具本体２５と、この係止具本体２５の一端部より外方へ突出するように形成された一方のフランジ係止片挿入孔２０、２０、２０、２０あるいは他方のフランジ係止片挿入孔２０、２０、２０、２０に一方のフランジ係止片１３、１３、１３、１３あるいは他方のフランジ係止片１６、１６、１６、１６を係止状態で挿入した場合に生ずる隙間２６、２６、２６、２６に挿入される挿入片２７、２７、２７、２７とで構成されている。
【００１４】
上記構成の光ケーブル等の巻取りドラム１は、巻胴３の噛み合わせ用の凹凸部９、１０を噛み合わせ円筒状態にし、必要に応じて噛み合わせ部に紙接着テープ１７を固定した後、一方のフランジ係止片１３、１３、１３、１３を一方のフランジ４のフランジ係止片挿入孔２０、２０、２０、２０に挿入するとともに一方のフランジ４が係止溝１２、１２、１２、１２内に入り込むように位置させる。しかる後、一方のフランジ係止片１３、１３、１３、１３が挿入されたフランジ係止片挿入孔２０、２０、２０、２０に生じる隙間２６、２６、２６、２６に挿入片２７、２７、２７、２７を挿入して、該隙間２６、２６、２６、２６を覆うように係止具８を位置させ、該係止具８の端部あるいは一方のフランジ係止片１３、１３、１３、１３部位を紙接着テープ２８で固定して、巻胴３の一方に一方のフランジ４を固定する。
【００１５】
次に、円筒状にした巻胴３の他方のフランジ係止片１６、１６、１６、１６を仕切フランジ６のフランジ係止片挿入孔２３、２３、２３、２３に係止状態で挿入した後、他方のフランジ係止片１６、１６、１６、１６の外周部を覆うように端部巻胴７を挿入し、該端部巻胴７より外方に突出している他方のフランジ係止片１６、１６、１６、１６を他方のフランジ５のフランジ係止片挿入孔２０、２０、２０、２０を挿入するとともに、他方のフランジ５が係止溝１５、１５、１５、１５内に入り込むように位置させる。
しかる後、他方のフランジ係止片１６、１６、１６、１６が挿入されたフランジ係止片挿入孔２０、２０、２０、２０に生じる隙間２６、２６、２６、２６に挿入片２７、２７、２７、２７を挿入して、該隙間２６、２６、２６、２６を覆うように係止具８を位置させ、該係止具８の端部あるいは他方のフランジ係止片１６、１６、１６、１６部位を紙接着テープ２８、２８、２８、２８で固定して巻胴３の他方に他方のフランジ５を固定する。
【００１６】
上記のように組立てられた光ケーブル等の巻取りドラム１は、端末加工を行なった光ケーブル２等の端末を仕切フランジ６の切欠部２４より端部巻胴７内に位置させ、巻胴３に光ケーブル２等を巻き付けて使用する。
【００１７】
使用した光ケーブル等の巻取りドラム１を分解する場合には、係止具８、８を固定している紙接着テープ２８、２８を除去することにより、係止具８、８、一方のフランジ４、他方のフランジ５、端部巻胴７、仕切フランジ６、巻胴３にそれぞれ分解することができる。
【００１８】
使用した光ケーブル等の巻取りドラム１を廃棄する場合、全体が紙製であるため、分別したりすることなく、焼却処分や再利用を図ることができる。
【００１９】
【発明の異なる実施の形態】
次に、図１１ないし図２６に示す本発明の異なる実施の形態につき説明する。なお、これらの本発明の異なる実施の形態の説明に当って、前記本発明の第１の実施の形態と同一構成部分には同一符号を付して重複する説明を省略する。
【００２０】
図１１ないし図１４に示す本発明の第２の実施の形態において、前記本発明の第１の実施の形態と主に異なる点は、一方のフランジ係止片１３、１３、１３、１３にだけ係止具８を取付けた点で、このように構成した光ケーブル等の巻取りドラム１Ａにしても、前記本発明の第１の実施の形態と同様な作用効果が得られる。
【００２１】
図１５ないし図１８に示す本発明の第３の実施の形態において、前記本発明の第１の実施の形態と主に異なる点は、端部巻胴を用いないで構成した点で、このように構成した光ケーブル等の巻取りドラム１Ｂにしても、前記本発明の第１の実施の形態と同様な作用効果が得られる。
【００２２】
図１９ないし図２２に示す本発明の第４の実施の形態において、前記本発明の第１の実施の形態と主に異なる点は、両側部を突き合わせることにより筒状となる巻胴３Ａを用いた点で、このように形成された巻胴３Ａを用いて構成した光ケーブル等の巻取りドラム１Ｃにしても、前記本発明の第１の実施の形態と同様な作用効果が得られる。
【００２３】
図２３ないし図２６に示す本発明の第５の実施の形態において、前記本発明の第１の実施の形態と主に異なる点は、フランジ係止片挿入孔２０の隙間２６部位に挿入されるダンボール等の紙製や木材等で形成された係止片２９と、この係止片２９の隙間２６部位からの抜脱を防止するフランジ４、５に接着固定することができる接着テープ３０とで構成した係止具８Ａを複数箇所に用いた点で、このような係止具８Ａを用いて構成した光ケーブル等の巻取りドラム１Ｄにしても、前記本発明の第１の実施の形態と同様な作用効果が得られる。
なお、本実施の形態では焼却時に有害ガスを発生することなく、焼却される物質や金属材や石等の焼却されない物質で形成した係止片２９を用いた係止具８Ａを用いても良い。
【００２４】
【発明の効果】
以上の説明から明らかなように、本発明にあっては次に列挙する効果が得られる。
【００２５】
（１）両側部を噛み合わせあるいは突き合わせることにより筒状となり一端部に一方のフランジを取付けることができる根元部に係止溝を有する複数個の一方のフランジ係止片が形成され、他端部に仕切フランジおよびこの仕切フランジと所定間隔離間させて他方のフランジを取付けることができる先端部寄りの部位に係止溝を有する複数個の他方のフランジ係止片が形成されたダンボール等の紙製の巻胴と、中央部に貫通孔が形成され、ほぼ中間部位に前記巻胴の複数個の他方のフランジ係止片がそれぞれ挿入される他方のフランジ係止片挿入孔が形成された外周部に切欠部を有するダンボール等の紙製の仕切フランジと、中央部に貫通孔が形成され、ほぼ中間部位に前記巻胴の複数個の一方のフランジ係止片がそれぞれ挿入され、根元部の係止溝内に一部を挿入でき、あるいは複数個の他方のフランジ係止片がそれぞれ挿入され、先端部寄りの部位の係止溝内に一部が挿入できるフランジ係止片挿入孔が形成されたダンボール等の紙製の一方および他方のフランジと、この一方および他方のフランジのいずれか一方のフランジのフランジ係止片挿入孔の隙間部位にそれぞれ差し込むことができる係止片が形成されたダンボール等の紙製の係止具とで構成されているので、巻胴の一方のフランジ取付片に取付ける一方のフランジを根元部の係止溝に係止させることにより、巻胴と一方のフランジとを固定することができるとともに、巻胴の他方のフランジ取付片に取付けられる他方のフランジを先端部寄りの部位の係止溝に係止させることにより、巻胴と他方のフランジとを固定することができる。
したがって、従来のようにホチキスや接着テープを用いなくても巻胴と両方のフランジとを固定することができ、容易に組立て、分解を行なうことができる。
【００２６】
（２）前記（１）によって、フランジとフランジ取付片の係止溝との係止により固定されるので、巻胴の軸心方向に加わる強度が該係止部で受けることができ、従来のようにホチキスの綴じ力や接着テープの接着力に比べて、十分な強度が得られる。
【００２７】
（３）前記（１）によって、全体がダンボール等の紙材の部品で構成されているので、廃棄する場合の再利用や焼却処分を容易に行なうことができる。
【００２８】
（４）請求項２、３も前記（１）〜（３）と同様な効果が得られる。
【図面の簡単な説明】
【図１】本発明の第１の実施の形態の使用状態の斜視図。
【図２】本発明の第１の実施の形態の正面図。
【図３】本発明の第１の実施の形態の側面図。
【図４】本発明の第１の実施の形態の分解斜視図。
【図５】図３の５−５線に沿う断面図。
【図６】本発明の第１の実施の形態の巻胴の展開図。
【図７】本発明の第１の実施の形態の巻胴の噛み合わせ状態の説明図。
【図８】本発明の第１の実施の形態の一方、他方のフランジの説明図。
【図９】本発明の第１の実施の形態の仕切フランジの説明図。
【図１０】本発明の第１の実施の形態の係止具の説明図。
【図１１】本発明の第２の実施の形態の正面図。
【図１２】本発明の第２の実施の形態の側面図。
【図１３】本発明の第２の実施の形態の分解斜視図。
【図１４】図１２の１４−１４線に沿う断面図。
【図１５】本発明の第３の実施の形態の正面図。
【図１６】本発明の第３の実施の形態の側面図。
【図１７】本発明の第３の実施の形態の分解斜視図。
【図１８】図１６の１８−１８線に沿う断面図。
【図１９】本発明の第４の実施の形態の正面図。
【図２０】本発明の第４の実施の形態の側面図。
【図２１】本発明の第４の実施の形態の分解斜視図。
【図２２】図２０の２２−２２線に沿う断面図。
【図２３】本発明の第５の実施の形態の正面図。
【図２４】本発明の第５の実施の形態の側面図。
【図２５】本発明の第５の実施の形態の分解斜視図。
【図２６】本発明の第５の実施の形態の係止具の説明図。
【符号の説明】
１、１Ａ〜１Ｄ：光ケーブル等の巻取りドラム、
２：光ケーブル、            ３、３Ａ：巻胴、
４：一方のフランジ、        ５：他方のフランジ、
６：仕切フランジ、          ７：端部巻胴、
８：係止具、
９、１０：噛み合わせ用の凹凸部、
１１：巻胴本体、            １２：係止溝、
１３：一方のフランジ係止片、１４：係止溝、
１５：係止溝、              １６：他方のフランジ係止片、
１７：紙接着テープ、        １８：貫通孔、
１９：フランジ本体、        ２０：フランジ係止片挿入孔、
２１：貫通孔、              ２２：仕切フランジ本体、
２３：フランジ係止片挿入孔、２４：切欠部、
２５：係止具本体、          ２６：隙間、
２７：挿入片、              ２８：紙接着テープ、
２９：係止片、              ３０：接着テープ。
【図１】
0004439077.tif 000002
【図２】
0004439077.tif 000003
【図３】
0004439077.tif 000004
【図４】
0004439077.tif 000005
【図５】
0004439077.tif 000006
【図６】
0004439077.tif 000007
【図７】
0004439077.tif 000008
【図８】
0004439077.tif 000009
【図９】
0004439077.tif 000010
【図１０】
0004439077.tif 000011
【図１１】
0004439077.tif 000012
【図１２】
0004439077.tif 000013
【図１３】
0004439077.tif 000014
【図１４】
0004439077.tif 000015
【図１５】
0004439077.tif 000016
【図１６】
0004439077.tif 000017
【図１７】
0004439077.tif 000018
【図１８】
0004439077.tif 000019
【図１９】
0004439077.tif 000020
【図２０】
0004439077.tif 000021
【図２１】
0004439077.tif 000022
【図２２】
0004439077.tif 000023
【図２３】
0004439077.tif 000024
【図２４】
0004439077.tif 000025
【図２５】
0004439077.tif 000026
【図２６】
0004439077.tif 000027